(57)【要約】【課題】類似製品の一纏めの部品構成表を意図した通りに展開表示及び編集可能とする。【解決手段】部品構成表管理システムのデータ処理装置が、１つの製品の構成情報に表示順とグループコードとを設定して、各製品毎に構成マスタテーブルに格納し、構成表番号と、製品品番と、基本モデルフラグとを対応付けて構成表情報として格納し、構成表情報から取得した全ての製品品番に対応する構成情報を構成マスタテーブルから取得し、基本モデルの製品の部品構成を構成展開し取得数分だけ列を生成して部品構成表の初期形態を生成し、基本モデル以外の製品を順次処理対象として、処理対象製品の部品構成を構成展開して基本モデルの構成展開結果と比較し、初期形態の部品構成表に対して行挿入を行うと共に該当列に員数をセットして部品構成表を組み立て、組み立てた部品構成表を構成表表示編集画面に表示する。【選択図】図２
2011191981.tif 000002
【特許請求の範囲】
【請求項１】
複数の製品の各々の構成情報を一纏めの部品構成表とするデータ処理装置を備えた部品構成表管理システムにおいて、前記データ処理装置は、
１つの製品について各部品の親子関係を示す部品構成と各部品の員数とを含む構成情報に対して構成展開における表示順と部品構成表に纏める際にマトリックス化の対象となる部品を示すグループコードとを設定して、各製品毎に構成マスタテーブルに格納する手段と、
部品構成表に付与された構成表番号と、該部品構成表に含まれる製品の製品品番と、該製品の構成情報が基本モデルであるか否かを示す基本モデルフラグとを対応付けて構成表情報として格納する手段と、
構成表番号をキーとして前記構成表情報から該当する全ての製品品番を取得し、それらの製品品番に基づいて前記構成マスタテーブルから該当する全ての製品の構成情報を取得する手段と、
前記構成表情報の基本モデルフラグを参照することにより、基本モデルの製品の部品構成を表示順に基づいて構成展開するとともに、製品品番の取得数分だけ列を生成し、一列目に基本モデルの製品の各部品の員数をセットすることにより部品構成表の初期形態を生成する手段と、
基本モデル以外の製品を順次処理対象として、該処理対象の製品の部品構成を表示順に基づいて構成展開し、部品構成の各レベル毎に基本モデルの製品の構成展開結果と比較し、前記初期形態の部品構成表に対して行挿入を行うと共に該処理対象の製品に該当する列に各部品の員数をセットすることにより部品構成表を組み立てる手段と、
組み立てられた部品構成表を構成表表示編集画面に表示する手段と、を備え、
前記部品構成表を組み立てる手段は、
処理対象の製品の各部品が基本モデルの製品の各部品と同じ親子関係をもつか否かを判定し、同じ親子関係をもつ部品については部品構成表に行挿入することなくその部品の員数をセットし、親子関係が異なる場合は前記グループコードが同じか否かを判定し、同じグループコードをもつ部品については部品構成表における次の位置に行挿入してその部品の員数をセットし、グループコードが同じでない部品については表示順に従って部品構成表における次の位置に行挿入してその部品の員数をセットすることを特徴とする部品構成表管理システム。
【発明の詳細な説明】
【技術分野】
【０００１】
本発明は、製造業における部品構成表の管理運用において、複数の類似製品の分散された部品構成を１つの部品構成表として管理するシステムに関するものである。
【背景技術】
【０００２】
家電などの一般消費者向け製品においては、製品のシリーズ化及びバリエーション展開の考え方が基本にあり、その結果、複数の類似製品の各々の部品構成は、その全体構成がほとんど同じで、一部の構成部品が異なるだけとなることが多い。
【０００３】
図１は、部品管理のための一般的な部品構成表の例を示す図である。図１（ａ）は、シリーズ化又はバリエーション展開された複数の類似製品の部品構成表のデータ構造例である。類似製品を一つの部品構成表により効率よく管理する工夫がされている。類似製品は、製品Ｘ１０３、製品Ｙ１０４、製品Ｚ１０５である。「品番」１０１には、全製品に使用される各部品の部品品番が、並べられている。「レベル」１０２は、部品構成における親子関係の階層を示す。各製品の列の数値は、各部品の員数（使用数）を示している。一方、図１（ｂ）は、一つの製品、例えば製品Ｘの部品構成（左図）及び部品構成表のデータ構造例（右図）である。部品構成は、階層状の親子関係を有している。部品構成表は、親部品の品番である「親品番」１０６と、子部品の品番である「子品番」１０７と、子部品の「員数」１０８とからなるテーブルである。製品一つ一つについてこのような部品構成に基づく部品構成表が作成されている。
【０００４】
そこで、複数の類似製品の部品管理を行うための部品構成表管理システムにおいては、図１（ｂ）のような親子関係と員数により作成されている個々の製品の一般的な部品構成から、図１（ａ）のような複数の類似製品を纏めた統合された部品構成表を展開表示（テーブル表示ないしはマトリックス化）し、かつ編集する仕組みが必要となる。
【０００５】
特許文献１の方法では、複数製品についての構成部品の類似性の判定を、それらの構成部品における親子関係を有する子部品が所定の割合以上一致しているか否かに基づいて行い、類似判断を自動化して複数製品の纏まった部品構成表を作成することが特徴となっている。
【先行技術文献】
【特許文献】
【０００６】
【特許文献１】特開平１１-２０３３２７号公報。
【発明の概要】
【発明が解決しようとする課題】
【０００７】
部品構成の展開表示においては、各部品の表示順を部品構成表の作成者・編集者が意図的に定義している場合が多い。また、部品レベル、ユニットレベル等の階層レベルの類似定義についても、同様である。このような意図的な定義は、作成者・編集者のメンテナンス性を意識した行為である。従って、類似製品の部品構成表もまた、その意図通りに展開表示されることが重要である。
【０００８】
しかし、一般的な部品構成表管理システムでは、親子関係と員数のテーブルによって管理されており、製品一つ一つの各部品単位からなる個別の部品構成表がデータベースに格納され管理されている。データベースから複数の対象製品の情報を抽出してマトリックス化された１つの部品構成表として展開表示する際には、マトリックスとして纏める対象製品毎の部品構成表をそれぞれ抽出した結果に基づき集約処理を行う必要がある。さらに、展開表示された状態を結果として保持していなければ、どの部品・ユニットが纏められるべきなのか、また各部品をどの順序で表示するべきか、など作成者・編集者の意図する展開表示結果が得られない場合が起こり得る。
【０００９】
特許文献１の方法では、構成部品の類似性の判定を当該構成部品における親子関係を有する子部品が所定の割合以上一致しているか否かを基にマトリックス化の纏め処理を行っている。しかしこの場合、割合での判断となるため、纏めるべきものが纏められない、纏めるべきでないものが纏められる、という事象が起こり得る。
【００１０】
本発明の目的は、複数の類似製品の構成情報を、マトリックス化した１つの部品構成表に展開表示する部品構成表管理システムにおいて、マトリックス化した部品構成表に展開表示した際に、作成者・編集者が意図する展開表示結果が得られないという課題を解決することであり、また、マトリックス化された部品構成表のメンテナンス性を高めることである。
【課題を解決するための手段】
【００１１】
上記目的を達成する、本発明による部品構成表管理システムは、複数の製品の各々の構成情報を一纏めの部品構成表とするデータ処理装置を有する。前記データ処理装置は、１つの製品について各部品の親子関係を示す部品構成と各部品の員数とを含む構成情報に対して構成展開における表示順と部品構成表に纏める際にマトリックス化の対象となる部品を示すグループコードとを設定して、各製品毎に構成マスタテーブルに格納する手段と、部品構成表に付与された構成表番号と、該部品構成表に含まれる製品の製品品番と、該製品の構成情報が基本モデルであるか否かを示す基本モデルフラグとを対応付けて構成表情報として格納する手段と、構成表番号をキーとして前記構成表情報から該当する全ての製品品番を取得し、それらの製品品番に基づいて前記構成マスタテーブルから該当する全ての製品の構成情報を取得する手段と、前記構成表情報の基本モデルフラグを参照することにより、基本モデルの製品の部品構成を表示順に基づいて構成展開するとともに、製品品番の取得数分だけ列を生成し、一列目に基本モデルの製品の各部品の員数をセットすることにより部品構成表の初期形態を生成する手段と、基本モデル以外の製品を順次処理対象として、該処理対象の製品の部品構成を表示順に基づいて構成展開し、部品構成の各レベル毎に基本モデルの製品の構成展開結果と比較し、前記初期形態の部品構成表に対して行挿入を行うと共に該処理対象の製品に該当する列に各部品の員数をセットすることにより部品構成表を組み立てる手段と、組み立てられた部品構成表を構成表表示編集画面に表示する手段と、を備える。
前記部品構成表を組み立てる手段は、処理対象の製品の各部品が基本モデルの製品の各部品と同じ親子関係をもつか否かを判定し、同じ親子関係をもつ部品については部品構成表に行挿入することなくその部品の員数をセットし、親子関係が異なる場合は前記グループコードが同じか否かを判定し、同じグループコードをもつ部品については部品構成表における次の位置に行挿入してその部品の員数をセットし、グループコードが同じでない部品については表示順に従って部品構成表における次の位置に行挿入してその部品の員数をセットすることを特徴とする部品構成表管理システム。
【発明の効果】
【００１２】
本発明の類似製品の部品構成表管理システム及び方法によれば、複数の製品についての分散された構成情報を一纏め管理することができるとともに、部品構成表の作成・編集者の意図通りの部品構成表の展開結果を得ることが可能となる。これによって、複数の製品の部品構成内容を確認する場合の見易さが向上し、複数の製品に渡る設計変更における部品構成表の変更作業を一括で効率良く行うことができるようになる。
【図面の簡単な説明】
【００１３】
【図１】一般的な部品構成表管理方法の例を示す図である。（ａ）は複数の類似製品についてのものであり、（ｂ）は一つの製品についてのものである。
【図２】本発明の一実施の形態に係わる類似製品の部品構成表管理システムのシステム構成を示す図である。
【図３】本発明の一実施の形態に係わる部品構成表管理システムのデータ処理のフローチャート図である。
【図４Ａ】本発明の一実施の形態に係わる部品構成表管理システムのマトリックス化された部品構成表のデータ構造例を示す図である。
【図４Ｂ】本発明の一実施の形態に係わる部品構成表管理システムの構成マスタテーブルのデータ構造例を示す図である。
【図４Ｃ】マトリックス化された部品構成表を製品毎の構成情報に分解した一例を示す図である。
【図５】本発明の一実施の形態に係わる部品構成表管理システムの構成表情報のデータ構造例を示す図である。
【図６Ａ】本発明の一実施の形態に係わる部品構成表管理システムの部品構成表組立て処理のフローチャート（前半）図である。
【図６Ｂ】本発明の一実施の形態に係わる部品構成表管理システムの部品構成表組立て処理のフローチャート（後半）図である。
【図７Ａ】部品構成表組立て処理(製品Ｘ)のステップＳ６０５後の部品構成表の状態を示す図である。
【図７Ｂ】部品構成表組立て処理(製品Ｙ)のステップＳ６０８後の部品構成表の状態を示す図である。
【図７Ｃ】部品構成表組立て処理(製品Ｙ)のステップＳ６１０後の部品構成表の状態を示す図である。
【図７Ｄ】部品構成表組立て処理(製品Ｙ)のステップＳ６１１後の部品構成表の状態を示す図である。
【図７Ｅ】部品構成表組立て処理(製品Ｚ)のステップＳ６０８後の部品構成表の状態を示す図である。
【図７Ｆ】部品構成表組立て処理(製品Ｚ)のステップＳ６１０後の部品構成表の状態を示す図である。
【発明を実施するための形態】
【００１４】
以下、本発明による、類似製品の部品構成表管理システム及び方法について、図面を参照して説明する。
【００１５】
改めて図１を参照する。図１は、部品管理のための一般的な部品構成表の例を示す図である。図１（ａ）は、シリーズ化又はバリエーション展開された複数の類似製品の部品構成表のデータ構造例である。「品番」１０１には、纏める対象とする全製品に使用される全構成部品すなわち全てのユニット及び部品が、並べられている。「レベル」１０２は、部品構成における親子関係の階層レベルを示す。「製品Ｘ」１０３、「製品Ｙ」１０４、「製品Ｚ」１０５は、纏める対象とする製品を列として定義し、各列毎に使用するユニット又は部品の員数を設定している。
【００１６】
一方、図１（ｂ）は、一つの製品、例えば製品Ｘの部品構成（左図）及びその部品構成表のデータ構造例（右図）である。部品構成に示す通り、製品レベルと各ユニットレベルが親子関係にあり、１つのユニットレベルと各部品レベルが親子関係にある。部品構成表は、全て親子関係により表現されており、親部品の品番である「親品番」１０６と、子部品の品番である「子品番」１０７と、子部品の使用数を示す「員数」１０８とからなるテーブルである。
【００１７】
そのため、部品構成表管理システムとして複数の類似製品を纏めた図１（ａ）のような部品構成表を表現するためには、図１（ｂ）のような親子関係で管理される個別の部品構成表の情報を基に組立てたり分解したりするための仕組みが必要である。
【００１８】
以下の本発明の説明においては、複数の類似製品について纏めた部品構成表を「部品構成表」と称し、１つの製品の部品構成表（又はそれに含まれる情報）については「構成情報」と称することとする。
【００１９】
図２は、本発明による、類似製品の部品構成表管理システムの構成を示す。構成データベース(ＤＢ)２００は、構成マスタテーブル２０１と、構成表情報２０２とを格納している。データ処理部２０３は、コンピュータであるデータ処理装置に導入されたプログラムにより実現される各機能を有している。データ処理部２０３は、構成データベース２００の情報を基に、類似製品の部品構成表を展開表示しかつ格納するための加工処理を行う。データ処理部２０３は、構成表製品管理部２０４と、構成情報抽出部２０５と、構成表組立分解部２０６と、構成情報更新部２０７とを備える。利用者は、構成表表示編集画面２０８を用いて、部品構成表の参照及び編集を行うことができる。
【００２０】
図３は、類似製品の部品構成表をマトリックス化して管理するための、図２のデータ処理部２０３によるデータ処理を示すフローチャートである。
【００２１】
先ず、構成表製品管理部２０４は、予め構成表情報２０２に格納された情報から展開対象とする製品品番を取得する（ステップＳ３０１）。構成表情報２０２は、部品構成表として纏める複数の対象製品の各々に関して定義された情報を格納している。ここで、図５は、構成表情報２０２のデータ構造例を示す。構成表情報２０２は、類似製品の部品構成表毎に付与された「構成表番号」５０１と、製品毎に付与された「製品品番」５０２と、当該製品の構成情報が基本モデルか否かを示す「基本モデルフラグ」５０３とからなるテーブルである。例えば、製品Ｘを含む複数の類似製品の部品構成表を参照又は編集したい場合は、図５の構成表情報から"製品Ｘ"を取得する。
【００２２】
次に、構成情報抽出部２０５は、ステップＳ３０１で取得した製品品番を親品番として構成マスタテーブル２０１から必要な全ての構成情報を取得する（ステップＳ３０２）。図４（ｂ）は、構成マスタテーブル２０１のデータ構造例を示す。構成マスタテーブル２０１は、「親品番」４０２と、「子品番」４０３と、「員数」４０４と、「表示順」４０５と、「グループコード」４０６とからなるテーブルである。このように、構成マスタテーブル２０１には、各製品毎の構成情報に分解されて格納されている。
【００２３】
構成表組立分解部２０６は、取得した複数の類似製品の構成情報を展開レベル毎に比較してマトリックス展開すなわちマトリックス化することにより部品構成表を組み立てる（ステップＳ３０３）。
【００２４】
上記のステップＳ３０２の構成情報の取得処理、及び、ステップＳ３０３の部品構成表組立て処理については、後述する図６Ａ及び図６Ｂで詳細に説明する。
【００２５】
続いて、構成表組立分解部２０６は、ステップＳ３０３で組み立てられたマトリックス情報、すなわち類似製品の部品構成表を構成表表示編集画面２０８に展開表示する（ステップＳ３０４）。図４（ａ）は、構成表表示編集画面２０８に展開表示された部品構成表のデータ構造例である。「レベル」は、各部品の親子関係における階層レベルを示し、列１は製品Ｘの、列２は製品Ｙの、列３は製品Ｚの各部品の員数を示している。これにより利用者は、類似製品の部品構成表を参照できる。
【００２６】
構成表表示編集画面２０８には、図４（ｂ）の構成マスタテーブル２０１も表示可能である。この構成表表示編集画面２０８では、纏め対象とする製品品番の定義を目的として、構成マスタテーブル２０１の「グループコード」４０６の設定及び「表示順」４０５の設定並びにこれらの変更を行うことができる。これにより利用者は、類似製品の部品構成表を編集できる。
【００２７】
参照又は編集の終了後、構成表表示編集画面２０８で編集された部品構成表は、構成表組立分解部２０６により各製品毎の構成情報に分解される（ステップＳ３０５）。図４Ｃでは、マトリックス化された部品構成表４０１を、構成マスタテーブル２０１に格納する時に各製品毎の構成情報４０１１、４０１２、４０１３へ分解する例を示している。部品構成表の各列が、各製品毎の構成情報へ分解されている。
【００２８】
構成情報更新部２０７は、各製品毎に分解された構成情報を、各製品毎に構成マスタテーブル２０１に格納することにより、構成マスタテーブル２０１を更新する（ステップＳ３０６）。
【００２９】
図６Ａ及び図６Ｂは、類似製品の部品構成表管理システムおける、複数の製品の構成情報の取得処理（図３のステップＳ３０２）及び部品構成表組立て処理（図３のステップＳ３０３）の詳細を示すフローチャート図である。なお、図１〜図５の図中の符号を参照する場合がある。また、図７Ａ〜図７Ｆは、類似製品の部品構成表組立て処理の一例を、工程に沿って模式的に示した図である。
【００３０】
構成表製品管理部２０４は、図３のステップＳ３０１で図５の構成表情報２０２から取得した１つの製品品番５０２に対応する構成表番号５０１をキーとして、図５の構成表情報２０２から同じ構成表番号をもつ全ての製品についての構成表情報２０２に格納された情報を全て取得する（ステップＳ６０１）。これらの製品品番をもつ製品が処理対象となる。
例えば、製品品番"製品Ｘ"に対応する構成表番号"０１−００１"をキーとした場合、製品品番"製品Ｘ"、"製品Ｙ"及び"製品Ｚ"の各々についての構成表情報２０２内の情報を全て取得する。
【００３１】
構成表番号に対応した処理対象の製品があるか否かを判定する（ステップＳ６０２）。処理対象の製品がある場合には、構成情報抽出部２０５によってそれらの製品品番を親品番とする全ての構成情報を構成マスタテーブル２０１から取得するとともに、製品品番の取得数分の列を生成する（ステップＳ６０３）。例えば、製品品番"製品Ｘ"、"製品Ｙ"及び"製品Ｚ"をそれぞれ親品番とする構成情報を構成マスタテーブル２０１から取得し、部品構成表のテーブルに列１、列２及び列３の３列を生成する。このとき、取得した製品品番のうち、図５の構成表情報２０２の基本モデルフラグ５０３が"１"である製品の構成情報（ステップＳ６０４）を基本モデルとして優先し、図４（ｂ）の構成マスタテーブル２０１の表示順４０５に従って基本モデルの部品構成の全レベルを構成展開し、部品構成表の１列目にセットする（ステップＳ６０５）。このようにして、部品構成表の初期形態が生成される。
【００３２】
例えば、製品品番"製品Ｘ"の基本モデルフラグが"１"であるから、製品Ｘの構成情報が基本モデルとなる。その表示順４０５（構成マスタテーブルの１〜９行目まで）を参照すると、レベル１は"製品Ｘ"のみで表示順は"１０"のみであるから、１行目に配置し、レベル"１"と員数"１"をセットする。
次に、"製品Ｘ"を親品番とするレベル２の子品番は"ユニットＡ"、"ユニットＢ"及び"部品Ｘ１"であり、これらの表示順はそれぞれ"１０"、"２０"、"３０"であるから、昇順に２〜４行目を追加し、レベル"２"と各員数"１"、"２"及び"２"をセットする。
次に、"ユニットＡ"を親品番とするレベル３の子品番は"部品Ａ１"及び"部品Ａ２"であり、これらの表示順は、"１０"及び"２０"である。従って、"ユニットＡ"と"ユニットＢ"の行の間に２行挿入し、レベル"３"と各員数"２"及び"５"をセットする。"ユニットＢ"を親品番とする子品番"部品Ｂ１"、"部品Ｂ２"及び"部品Ｃ１"は、"ユニットＢ"と"部品Ｘ１"の行の間に３行挿入して同様にセットされる。"部品Ｘ１"については子品番が無いのでこれ以上の処理は無い。
この製品ＸについてのステップＳ６０５の完了時点で、部品構成表は図７Ａの状態となっている。
【００３３】
続いて、次の製品の構成情報の処理に移る（ステップＳ６０２に戻り繰り返し、ステップＳ６０４からステップＳ６１３へ）。
以降は、取得した製品品番のうち図５の構成表情報２０２の基本モデルフラグ５０３が"０"の製品の部品構成をレベル毎に構成展開し、先に展開した基本モデルの構成展開結果と比較する（ステップＳ６０６）。比較結果に基づいて当該製品に該当する列に員数をセットしていく。例では、"製品Ｙ"は２列目に、"製品Ｚ"は３列目にセットされる。
【００３４】
先ず、基本モデルの部品構成の構成展開と、処理対象製品の部品構成の構成展開において、親品番４０２と子品番４０３がいずれも同じものがあるか否かを比較する（ステップ６０７）。
【００３５】
親品番４０２と子品番４０３がいずれも同じ場合には、部品構成表に行挿入はせず、当該製品の列に員数をセットする（ステップＳ６０８）。
【００３６】
例えば、製品品番"製品Ｙ"は、"ユニットＡ"を有するから、親品番と子品番のいずれもが"製品Ｘ"と同じものは、"ユニットＡ"と"部品Ａ１"の組合せ及び"ユニットＡ"と"部品Ａ２"の組合せである。従って、"部品Ａ１"及び"部品Ａ２"の２列目にそれぞれ員数"２"及び"５"をセットする。
この製品ＹについてのステップＳ６０８の完了時点で、部品構成表は図７Ｂの状態となっている。
【００３７】
親品番４０２と子品番４０３のいずれか又はいずれも異なる場合には、グループコード４０６を比較する（ステップＳ６０９）。グループコード４０６が同じ場合には、部品構成表の比較対象行の次の位置に行挿入し、該当する列に員数をセットする（ステップＳ６１０）。これは、同じグループコードを持つ部品品番の下位構成が、マトリックス化されることを意味している。
【００３８】
例えば、"製品Ｙ"は、"製品Ｘ"と同じグループコード"G001"をもっているので、"製品Ｘ"の行の次に"製品Ｙ"を行挿入し、その２列目に員数"１"をセットする。このとき、"製品Ｙ"の下位構成の部品品番について、行挿入せずに員数をセットできるものはそれぞれセットする。また、"ユニットＣ"は、"ユニットＢ"と同じグループコード"G002"をもっているので、"ユニットＢ"の行の次に"ユニットＣ"を行挿入し、その２列目に員数"２"をセットする。このとき、"ユニットＣ"の下位構成の部品品番について、行挿入せずに員数をセットできるものはそれぞれセットする。
この製品ＹについてのステップＳ６１０の完了時点で、部品構成表は図７Ｃの状態となっている。
【００３９】
グループコード４０６が異なる場合には、基本モデルの表示順４０５と処理対象の構成情報の表示順４０５を比較し昇順なるように行を挿入するとともに、該当する列に員数をセットする（ステップＳ６１１）。
【００４０】
例えば、"ユニットＣ"の子品番"部品Ｃ２"を、"部品Ｃ１"の行の次に行挿入し、員数"１"をセットする。
この製品ＹについてのステップＳ６１１の完了時点で、部品構成表は図７Ｄの状態となっている。
【００４１】
製品Ｙの全レベルにおいて処理が終了したならば、次の製品品番以下の構成処理に移る。例では、次に"製品Ｚ"を処理対象とし、同様の処理を行う。
製品ＺについてのステップＳ６０８の完了時点で、部品構成表は図７Ｅの状態となっている。さらに、製品ＺについてのステップＳ６１０の完了時点で、部品構成表は図７Ｆの状態となっている。図示しないが、製品ＺについてステップＳ６１１においては、"部品Ｃ３"の行を、"部品Ｃ２"の行の次に行挿入し、員数"１"がセットされる。これにより部品構成表が完成し、部品構成表は図４Ａの状態となる。
【００４２】
処理対象である全ての製品についての処理が完了した場合すなわちマトリックス化された部品構成表が完成した場合は、構成表表示編集画面２０８にマトリックス化された部品構成表を展開する、すなわち画面上に表示する（ステップ６１２）。
【符号の説明】
【００４３】
２００：部品構成ＤＢ、２０１：構成マスタテーブル、２０２：構成表情報、２０３：データ処理部、２０４：構成表製品管理部、２０５  構成情報抽出部、２０６：構成表組立分解部、２０７：構成情報更新部、２０８：構成表表示編集画面
【図１】
2011191981.tif 000003
【図２】
2011191981.tif 000004
【図３】
2011191981.tif 000005
【図４Ａ】
2011191981.tif 000006
【図４Ｂ】
2011191981.tif 000007
【図４Ｃ】
2011191981.tif 000008
【図５】
2011191981.tif 000009
【図６Ａ】
2011191981.tif 000010
【図６Ｂ】
2011191981.tif 000011
【図７Ａ】
2011191981.tif 000012
【図７Ｂ】
2011191981.tif 000013
【図７Ｃ】
2011191981.tif 000014
【図７Ｄ】
2011191981.tif 000015
【図７Ｅ】
2011191981.tif 000016
【図７Ｆ】
2011191981.tif 000017